(57)【特許請求の範囲】
【請求項１】
光伝送路終端装置と複数の光網終端装置とを、光分岐回路及び光線路を介して接続した伝送路分岐多数ユーザ接続ネットワークであって、光伝送路終端装置は第１及び第２の系のB-PON終端部を有し、各光網終端装置は第1及び第2の系のB-PON終端部をそれぞれ有し、光伝送路終端装置の第1の系のB-PON終端部と各光網終端装置の第1の系のB-PON終端部とが第１の接続経路を介してそれぞれ接続され、光伝送路終端装置の第２の系のB-PON終端部と各光網終端装置の第２の系のB-PON終端部とが第２の接続経路を介してそれぞれ接続され、各光網終端装置の第１の系のB-PON終端部にはそれぞれ異なるグラント値が割り当てられると共に第２の系のB-PON終端部にもそれぞれ異なるグラント値が割り当てられ、各光網終端装置は、光伝送路終端装置から送られてきたグラントのグラント値が自己のB-PON終端部に割り当てられたグラント値と一致した場合、光伝送路終端装置に上り信号を送信する伝送路分岐多数ユーザ接続ネットワークの経路切り換え方法において、
特定の光網終端装置について、当該光網終端装置の各Ｂ−ＰＯＮ終端部に対してグラント値を割り当てる処理と、当該光網終端装置について光伝送路終端装置との間の接続経路のうち第１の接続経路と第２の接続経路のどちらが選択系であるかを決定する処理と、決定情報に基づいて、光伝送路終端装置が具備するＢ−ＰＯＮ終端部が当該光網終端装置のＢ−ＰＯＮ終端部に送信するグラント値を決める処理と、を順次行う接続経路切り換え処理を実行し、第１の接続経路を選択系から非選択系に切り換え、第２の接続経路を非選択系から選択系に切り換える場合、光伝送路終端装置は、当該光網終端装置の第２のB-PON終端部に対して当該B-PON終端部に割り当てられているグラント値のグラントを送信し、第１のB-PON終端部にはいずれの光網終端装置の第１のB-PON終端部に割り当てられていないグラント値のグラント又はUnassigned grantを送信することを特徴とするネットワークの経路切り換え方法。
【請求項２】
光伝送路終端装置と複数の光網終端装置とを、第１及び第２の二重の接続経路を介してそれぞれ接続した伝送路分岐多数ユーザ接続ネットワークに用いられる光伝送路終端装置であって、
当該光伝送路終端装置は、
光網終端装置にグラントを送信すると共に光網終端装置から送られてきた上り信号を受信する第１及び第２の２つのB-PON終端部と、
光伝送路終端装置と各光網終端装置との間の接続経路を選択する経路選択情報を前記第１及び第２のB-PON終端部に供給する経路切替制御手段と、
前記第１及び第２のB-PON終端部からの出力信号を併合する信号マージ手段とを具え、
前記第１及び第２のB-PON終端部は、
各光網終端装置の第１及び第２のB-PON終端部に割り当てられたグラント値を記憶した記憶手段と、
前記記憶手段に記憶されているグラント値と前記経路切替制御手段から送られてきた経路選択情報とに基づいて光網終端装置の第１及び第２のB-PON終端部にグラントを送信するグラント送信手段と、
光網終端装置から送られてきた上り信号を受信する信号受信手段とを具え、
特定の光網終端装置について、当該光網終端装置の各Ｂ−ＰＯＮ終端部に対してグラント値を割り当てる処理と、当該光網終端装置について光伝送路終端装置との間の接続経路のうち第１の接続経路と第２の接続経路のどちらが選択系であるかを決定する処理と、決定情報に基づいて、光伝送路終端装置が具備するＢ−ＰＯＮ終端部が当該光網終端装置のＢ−ＰＯＮ終端部に送信するグラント値を決める処理と、を順次行う接続経路切り換え処理を実行し、第１の接続経路を選択系から非選択系に切り換え、第２の接続経路を非選択系から選択系に切り換える場合、光伝送路終端装置の第２のB-PON終端部のグラント送信手段は、当該光網終端装置の第２のB-PON終端部に対して、当該B-PON終端部に割り当てられているグラント値のグラントを送信し、第１のB-PON終端部のグラント送信手段は、当該光網終端装置の第１のB-PON終端部に対して、いずれの光網終端装置の第１のB-PON終端部に割り当てられていないグラント値のグラント又はUnassigned grantを送信することを特徴とする光伝送路終端装置。
【発明の詳細な説明】
【０００１】
【発明の属する技術分野】
本発明は、伝送路分岐多数ユーザ接続ネットワークにおける上り信号の経路切り替え制御に関するものである。
【０００２】
【従来の技術】
Ｂ−ＰＯＮ（Broadband Passive Optical Network；ブロードバンド伝送路分岐多数ユーザ接続ネットワーク ）は、ＯＬＴ（Optical Line Terminal；光伝送路終端装置）とＯＮＴ(Optical Network Terminal；光網終端装置)との間でＡＴＭ（Asynchronous Transfer Mode）セルの伝送を行う技術であり、ＩＴＵ−Ｔ勧告Ｇ．983.1 にその機能が規定されている。
【０００３】
当該ネットワークにおいて、ＯＮＴは、ＯＬＴからグラント(grant;許可信号)を受信した際、受信したグラントの値（グラント値）が、当該ＯＮＴに割り当てられているグラント値と等しければ、そのグラントの受信に対応して上りセルをＯＬＴへ送信し、等しくなければそのグラントに対応して上りセルをＯＬＴへ送信しない。グラントは８ビツトの信号で構成されている。ＯＮＴ毎にそれぞれ異なるグラント値を割り当てることにより、1 つのグラントに対しては、1 つのＯＮＴしか上りセルを送信しないようにすることが可能である。グラントにはUnassigned grant という名称の、値がＯｘＦＥ（１６進表示）である特殊なグラントが規定されている。ＯＮＴはUnassigned grantを受信しでも、それに対応して上りセルを送信することはない。また、ＯＮＴへ割り当てるグラント値としてＯｘＦＥを使用しないことがＩＴＵ−Ｔ勧告Ｇ．983.1 に規定されている。
【０００４】
２重化Ｂ−ＰＯＮは、光伝送路終端装置と複数の光網終端装置とを２本の系（０系及び１系）の接続経路を用いて２重化接続し、ネットワークの信頼度を向上させたものであり、ＩＴＵ−Ｔ勧告Ｇ.983.5にその機能が規定されている。この２重化Ｂ−ＰＯＮにおいて、ＯＬＴは各ＯＮＴに対して、０系と１系の両方に同一のユーザ信号を送信し、ＯＮＴは選択系を介して送信されてきた受信信号だけを選択的に受信する。ＯＮＴもＯＬＴに対して、０系と１系の両方に同一のユーザ信号を送信し、ＯＬＴは選択系の受信信号を選択する。
【０００５】
一方、この２重化Ｂ−ＰＯＮにおいて、ＯＬＴが何らかの切り替え要因、例えば上り信号の異常、ＯＮＴからのＫ１Ｋ２バイトの受信、オペレーションシステムからの切替コマンドの受信等を検出すると、系の切り替えが行われる。ここで、系の切替とは、ある系を使用している状態から別の系を使用する状態へ遷移することである。従って、系の切り替えが行われた場合、ＯＬＴ及びＯＮＴは今まで選択していた受信信号を、別の系の受信信号に変更することになる。一方、ＯＬＴには複数のＯＮＴが接続されているため、あるＯＮＴは０系が選択系で、他のＯＮＴは１系が選択系ということがある。そのため、ＯＬＴは、受信した信号がどのＯＮＴからのものであるかを識別するのにパス情報が用いられる。そして、系の切替が発生すると、そのパス情報を書き換える必要がある。
【０００６】
【発明が解決しようとする課題】
さて、ＯＬＴは複数のパスを収容し、上記のパス情報もパスの数が多くなるほど多くなる。ゆえに、切替が発生したとき、パスの数が多ければ多いほどパス情報の書き替えに時間を要し、切替の完了に時間を要するという問題があった。
【０００７】
従って、本発明の目的は、パス情報を用いることなく高速で切替制御を行うことができるＢ−ＰＯＮにおける経路切り換え方法を提供することにある。
さらに、本発明の別の目的は、切り替えの対象となるＯＮＴに送信されるグラントのグラント値を変更するだけでB-PON終端部を切り替えることができ、切替制御を高速で実行できるＰＯＮを提供することにある。
さらに、本発明の別の目的は、切替制御を高速で実行できる光伝送路終端装置を提供することにある。
【０００８】
【課題を解決するための手段】
上記課題を解決するため、本発明によるネットワークの経路切り換え方法は、光伝送路終端装置と複数の光網終端装置とを、光分岐回路及び光線路を介して接続した伝送路分岐多数ユーザ接続ネットワークであって、光伝送路終端装置は第１及び第２の系のB-PON終端部を有し、各光網終端装置は第1及び第2の系のB-PON終端部をそれぞれ有し、光伝送路終端装置の第1の系のB-PON終端部と各光網終端装置の第1の系のB-PON終端部とが第１の接続経路を介してそれぞれ接続され、光伝送路終端装置の第２の系のB-PON終端部と各光網終端装置の第２の系のB-PON終端部とが第２の接続経路を介してそれぞれ接続され、各光網終端装置の第１の系のB-PON終端部にはそれぞれ異なるグラント値が割り当てられると共に第２の系のB-PON終端部にもそれぞれ異なるグラント値が割り当てられ、各光網終端装置は、光伝送路終端装置から送られてきたグラントのグラント値が自己のB-PON終端部に割り当てられたグラント値と一致した場合、光伝送路終端装置に上り信号を送信する伝送路分岐多数ユーザ接続ネットワークの経路切り換え方法において、
特定の光網終端装置について、当該光網終端装置の各Ｂ−ＰＯＮ終端部に対してグラント値を割り当てる処理と、当該光網終端装置について光伝送路終端装置との間の接続経路のうち第１の接続経路と第２の接続経路のどちらが選択系であるかを決定する処理と、決定情報に基づいて、光伝送路終端装置が具備するＢ−ＰＯＮ終端部が当該光網終端装置のＢ−ＰＯＮ終端部に送信するグラント値を決める処理と、を順次行う接続経路切り換え処理を実行し、第１の接続経路を選択系から非選択系に切り換え、第２の接続経路を非選択系から選択系に切り換える場合、光伝送路終端装置は、当該光網終端装置の第２のB-PON終端部に対して当該B-PON終端部に割り当てられているグラント値のグラントを送信し、第１のB-PON終端部にはいずれの光網終端装置の第１のB-PON終端部に割り当てられていないグラント値のグラント又はUnassigned grantを送信することを特徴とする。
【０００９】
さらに、本発明による光伝送路終端装置は、光伝送路終端装置と複数の光網終端装置とを、第１及び第２の二重の接続経路を介してそれぞれ接続した伝送路分岐多数ユーザ接続ネットワークに用いられる光伝送路終端装置であって、
当該光伝送路終端装置は、
光網終端装置にグラントを送信すると共に光網終端装置から送られてきた上り信号を受信する第１及び第２の２つのB-PON終端部と、
光伝送路終端装置と各光網終端装置との間の接続経路を選択する経路選択情報を前記第１及び第２のB-PON終端部に供給する経路切替制御手段と、
前記第１及び第２のB-PON終端部からの出力信号を併合する信号マージ手段とを具え、
前記第１及び第２のB-PON終端部は、
各光網終端装置の第１及び第２のB-PON終端部に割り当てられたグラント値を記憶した記憶手段と、
前記記憶手段に記憶されているグラント値と前記経路切替制御手段から送られてきた経路選択情報とに基づいて光網終端装置の第１及び第２のB-PON終端部にグラントを送信するグラント送信手段と、
光網終端装置から送られてきた上り信号を受信する信号受信手段とを具え、
特定の光網終端装置について、当該光網終端装置の各Ｂ−ＰＯＮ終端部に対してグラント値を割り当てる処理と、当該光網終端装置について光伝送路終端装置との間の接続経路のうち第１の接続経路と第２の接続経路のどちらが選択系であるかを決定する処理と、決定情報に基づいて、光伝送路終端装置が具備するＢ−ＰＯＮ終端部が当該光網終端装置のＢ−ＰＯＮ終端部に送信するグラント値を決める処理と、を順次行う接続経路切り換え処理を実行し、第１の接続経路を選択系から非選択系に切り換え、第２の接続経路を非選択系から選択系に切り換える場合、光伝送路終端装置の第２のB-PON終端部のグラント送信手段は、当該光網終端装置の第２のB-PON終端部に対して、当該B-PON終端部に割り当てられているグラント値のグラントを送信し、第１のB-PON終端部のグラント送信手段は、当該光網終端装置の第１のB-PON終端部に対して、いずれの光網終端装置の第１のB-PON終端部に割り当てられていないグラント値のグラント又はUnassigned grantを送信することを特徴とする。
【００１０】
【作用】
最初にGrant-allocationメッセージを使って各ＯＮＴの各Ｂ−ＰＯＮ終端部に対してグラント値を割り当てておく。ＯＬＴが具備する切替制御部は、各ＯＮＴについてＯＬＴとの間の接続経路のうち０系と１系のどちらが選択系であるかを決定する。その情報に基づいて、ＯＬＴが具備するＢ−ＰＯＮ終端部がＯＮＴのＢ−ＰＯＮ終端部に送信するグラント値を決める。 例えば、第１のＯＮＴの選択系が０系ならば、第１のＯＮＴの０系のＢ−ＰＯＮ終端部へはそのＢ−ＰＯＮ終端部に割り当てられたグラント値を送信し、第１のＯＮＴの１系のＢ−ＰＯＮ終端部へはどのＯＮＴの１系のＢ−ＰＯＮ終端部にも割り当てられていないグラント値を送信する。この、「どのＯＮＴの１系のＢ−ＰＯＮ終端部にも割り当てられていないグラント値」としてUnassigned grantを選んでもよい。第２のＯＮＴの選択系が１系ならば、第２のＯＮＴの１系のＢ−ＰＯＮ終端部へはそのＢ−ＰＯＮ終端部に割り当てられたグラント値を送信し、第2 のＯＮＴの０系のＢ−ＰＯＮ終端部へはどのＯＮＴの０系のＢ−ＰＯＮ終端部にも割り当てられていないグラント値を送信する。この、「どのＯＮＴの０系のＢ−ＰＯＮ終端部にも割り当てられていないグラント値」としてUnassigned grantを選んでもよい。
【００１１】
グラントを受信したＯＮＴのＢ−ＰＯＮ終端部は、そのグラントの値がそのＢ−ＰＯＮ終端部に割り当てられたグラント値と一致していれば上りセルをＯＬＴへ送信し、一致していなければ上りセルを送信しない。Unassigned grantを受信した場合は、上りセルを送信しない。０系Ｂ−ＰＯＮ終端部と1 系Ｂ−ＰＯＮ終端部が、各々に割り当てられたグラント値に等しいグラントを同時に受信することはないため、1 つのＯＮＴの０系Ｂ−ＰＯＮ終端部と１系Ｂ−ＰＯＮ終端部から同時に上りセルを送信することはない。
【００１２】
ＯＬＴは、１つのＯＮＴからは、選択された接続経路すなわち選択系の接続経路を経て送信されてきたセルだけしか受信しないので、０系と１系の受信信号から選択系を選択するためにパス情報は不要になり、単に終端部から出力された上り信号をマージするだけで済むことになる。
【００１３】
特定の光網終端装置について経路切り換え処理が実行された場合、切替の対象のＯＮＴへ送信するグラントのグラント値を変更するだけでよい。この変更は、最大でも高々ＯＮＴ数分しかないので、高速処理が実行可能になる。
【００１４】
【発明の実施の形態】
以下、図面を参照し、本発明の実施例について説明する。図１は本発明によるブロードバンド伝送路分岐多数ユーザ接続ネットワーク（Ｂ−ＰＯＮ）の一例を示す線図である。ＯＮＴ２〜３が、光ファイバ４１、光スプリッタ（光分岐回路）４３、光ファイバ４５、４７、光ファイバ４２、光スプリッタ４４、および光ファイバ４６、４８を介して接続される。 接続しているＯＮＴの台数はｎ台とする。
【００１５】
ＯＬＴ１は、Ｂ−ＰＯＮ終端部（０系）１１、Ｂ−ＰＯＮ終端部（１系）１２、切替制御部13、および信号マージ部14を有している。ＯＮＴ２は、Ｂ−ＰＯＮ終端部（０系）２１とＢ−ＰＯＮ終端部（１系）２２を有している。ＯＮＴ３は、Ｂ−ＰＯＮ終端部（０系）３１とＢ−ＰＯＮ終端部（１系）３２を有している。
【００１６】
Ｂ−ＰＯＮ終端部（０系）１１、２１および３１は０系用のＢ−ＰＯＮ終端部であり、Ｂ−ＰＯＮ終端部（１系）１２、２２および３２は１系用のＢ−ＰＯＮ終端部である。ＯＬＴと各ＯＮＴとは、０系同士と1 系同士が接続される。光伝送路終端装置１のＢ−ＰＯＮ終端部（０系）と各ＯＮＴのＢ−ＰＯＮ終端部（０系）とは、第１の接続経路を構成する光スブリツタ４３と光ファイバを介して接続される。光伝送路終端装置１のＢ−ＰＯＮ終端部（１系）と各ＯＮＴのＢ−ＰＯＮ終端部（１系）とは、第２の接続経路を構成する光スプリッタ４４と光ファイバを介して接続される。
【００１７】
ＯＮＴ２を最初にレンジングするとき、Ｂ−ＰＯＮ終端部（０系）２１にグラント値Ｇ（1 ，0 ）を割り当て、Ｂ−ＰＯＮ終端部（１系）２２にグラント値Ｇ（１，１）を割り当てる。割り当てられるグラントは、同一の接続系に関して各光網終端装置毎にそれぞれ異なるグラント値とする。尚グラント値Ｇ（１，０）とＧ（１，１）は同一の値とすることができ、或いは異なった値でもよい。ＯＮＴ３についても同様に、Ｂ−ＰＯＮ終端部（０系）３１にグラント値Ｇ（Ｎ，０）を割り当て、Ｂ−ＰＯＮ終端部（１系）３２にグラント値Ｇ（Ｎ，１）を割り当てる。Ｇ（Ｎ，０ ）とＧ（Ｎ ，１）は同じ値でもよいし、異なった値でもよい。各光網終端装置の０系のＢ−ＰＯＮ終端部に割り当てるＮ個のグラント値Ｇ（１，０）・・Ｇ（Ｎ，０）は各光網終端装置毎にそれぞれ異なった値である。同様に、各光網終端装置の1 系のＢ−ＰＯＮ終端部に割り当てるＮ個のグラント値Ｇ（１，１）・・Ｇ（Ｎ，１）はそれぞれ異なる値とする。尚、光伝送路終端装置の０系及び１系の終端部は、各光網終端装置毎に割り当てられたグラント値を記憶する。
【００１８】
切替制御部13は、ＯＬＴｌの状態や切替要因に基づいて、接続しているONT の系の内、どちらを選択系とするかを決定する。選択系をどちらにするかはＯＮＴ毎に決定する。ＯＮＴ毎に決定された経路選択情報をＢ−ＰＯＮ終端部（０系）１１とＢ−ＰＯＮ終端部（１系）１２が受け取り記憶する。Ｂ−ＰＯＮ終端部（０系）１１とＢ−ＰＯＮ終端部（１系）１２は、記憶している各光網終端装置の終端部に割り当てられたグラント値及び経路選択情報に基づいてＯＮＴのＢ−ＰＯＮ終端部へ送信するグラント値を決定する。ＯＮＴ２のＢ−ＰＯＮ終端部（０系）２１へ送信するグラント値は、ＯＮＴ２の選択系が０系ならばＧ（１，０）であり、ＯＮＴ２の選択系が１系ならばＧ（１，０）・・Ｇ（Ｎ，０）のいずれとも異なる値またはUnassigned grantである。ＯＮＴ２のＢ−ＰＯＮ終端部（１系）２２へ送信するグラント値は、ＯＮＴ２の選択系が０系ならばＧ（１，１）・・Ｇ（Ｎ，１）のいずれとも異なる値またはUnassigned grant であり、ＯＮＴ2の選択系が1 系ならばG （1 ，1 ）である。
【００１９】
ＯＮＴ３のＢ−ＰＯＮ終端部（０系）３１へ送信するグラント値は、ＯＮＴ３の選択系が０系ならばＧ（Ｎ，０）であり、ＯＮＴ３の選択系が１系ならばＧ（１，０）・・Ｇ（Ｎ，０）のいずれとも異なる値またはUnassigned grantである。ＯＮＴ３のＢ−ＰＯＮ終端部（１系）３２へ送信するグラント値は、ＯＮＴ３の選択系が０系ならばＧ（１，１）・・Ｇ（Ｎ，１）のいずれとも異なる値またはUnassigned grantであり、ＯＮＴ３の選択系が１系ならばＧ（Ｎ，１）である。
【００２０】
グラント(許可信号)を受信したＯＮＴ２のＢ−ＰＯＮ終端部（０系）２１は、そのグラントの値が自分に割り当てられたグラント値Ｇ（１，０）と等しければ上りセルをＯＬＴ１へ送信する。グラントを受信したＯＮＴ２のＢ−ＰＯＮ終端部（１系）２２も同様に、そのグラントの値が自分に割り当てられたグラント値Ｇ（１，１）と等しければ上りセルをＯＬＴ１へ送信する。ＯＬＴから各ＯＮＴへ送信されるグラントは、どちらか一方の終端部にだけ割り当てられたグラント値に等しいグラント値だけが送信されるので、ＯＮＴ１の０系及び１系の両方のＢ−ＰＯＮ終端部が同時に上りセルをＯＬＴ１へ送信することはない。他のＯＮＴについても同様に、自分に割り当てられたグラント値と同じ値のグラントを受信したら、上りセルをＯＬＴ１へ送信する。
【００２１】
ＯＬＴ１のＢ−ＰＯＮ終端部（０系）１１には０系が選択系のＯＮＴからの上りセルしか到着せず、Ｂ−ＰＯＮ終端部（１系）１２には１系が選択系のＯＮＴからの上りセルしか到着しない。従って、Ｂ−ＰＯＮ終端部（０系）１１とＢ−ＰＯＮ終端部（１系）１２からの信号を信号マージ部14でマージすることにより、選択系からの信号のみを出力する。
【００２２】
次に、各光網終端装置の０系及び１系の終端部に割り当てられたグラント値と光伝送路終端装置から各光網終端装置の終端部に送信されるグラントのグラント値との関係を一例として説明する。本例では、ＯＬＴに対して３個のＯＮＴが接続されているシステムについて説明する。ＯＮＴ１〜３の各B-PON終端部に割り当てられたグラント値は以下のものとする。
ＯＮＴ１のB-PON終端部（０系）へ０Ｘ０１（１６進表示、以下同じ）
ＯＮＴ１のB-PON終端部（１系）へ０Ｘ１１
ＯＮＴ２のB-PON終端部（０系）へ０Ｘ０２
ＯＮＴ２のB-PON終端部（１系）へ０Ｘ１２
ＯＮＴ３のB-PON終端部（０系）へ０Ｘ０３
ＯＮＴ３のB-PON終端部（１系）へ０Ｘ１３
【００２３】
最初は、全てのＯＮＴについて０系が選択系であるものとする。この場合、ＯＬＴがＯＮＴへ送信するグラント値を表１に示す。ここでは、ＯＮＴの非選択系のＢ−ＰＯＮ終端部（１系）へ割り当てるグラント値をUnassigned grantである０ＸＦＥにしているが、グラント値に使用されない他の値、例えば０Ｘ１４を用いることも可能である。
【００２４】
次に、例えばＯＮＴ１において、０系から１系への切り換えが実行されたものとする。この場合、ＯＮＴ１のＢ−ＰＯＮ終端部（０系）へ送信するグラント値を０系のいずれのＢ−ＰＯＮ終端部にも割り当てられていないグラント値に設定し、ＯＮＴ１のＢ−ＰＯＮ終端部（１系）へ送信するグラント値を０Ｘ１１にすればよい。
【００２５】
【表１】
0003961906.tif 000002
【００２６】
【発明の効果】
以上説明したように、本発明によれば、特定の光網終端装置について経路切り換え処理が実行されても、光伝送路終端装置から当該光網終端装置へ送信される許可信号のグラント値を変更するだけで済むため、パス情報が不要になり、この結果経路切り換え処理に対して高速処理の実行が可能になる。
【図面の簡単な説明】
【図１】  本発明による経路切り換え方法を実施するためのネットワークの一例を示す線図である。
【符号の説明】
１  光伝送路終端装置
２，３  光網終端装置
１１  B-PON終端部（０系）
１２  B-PON終端部（１系）
１３  切替制御部
１４  信号マージ部
２１  B-PON終端部（０系）
２２  B-PON終端部（１系）
３１  B-PON終端部（０系）
３２  B-PON終端部（１系）
４１、４２、４５、４６、４７、４８  光ファイバ
４３、４４  光スプリッタ
【図１】
0003961906.tif 000003